(57)【要約】【課題】医療機関における医療機器や備品等に関する情報を施設内を巡回することで収集する情報収集装置を提供する。【解決手段】医療機器を管理する管理施設内を巡回する巡回装置に設置される情報収集装置であって、前記管理施設内において管理対象となる管理対象情報を受け取る手段と、受け取った前記管理対象情報を当該管理対象情報を管理する管理端末に送信する送信手段とを備える。また、前記管理対象情報を受け取る手段が、前記医療機器に関する情報、当該医療機器以外の他の医療機器を含む管理対象物に関する情報、患者の生体に関する情報、及び／又は空気中の浮遊物に関する情報を含む管理対象情報を受け取る。【選択図】図１
2019133722.tif 000002
【特許請求の範囲】
【請求項１】
医療機器を管理する管理施設内を巡回する巡回装置に設置される情報収集装置であって、
前記管理施設内において管理対象となる管理対象情報を受け取る手段と、
受け取った前記管理対象情報を当該管理対象情報を管理する管理端末に送信する送信手段とを備えることを特徴とする情報収集装置。
【請求項２】
請求項１に記載の情報収集装置において、
前記管理対象情報を受け取る手段が、前記医療機器に関する情報、当該医療機器以外の他の医療機器を含む管理対象物に関する情報、患者の生体に関する情報、及び／又は空気の状態に関する情報を含む管理対象情報を受け取ることを特徴とする情報収集装置。
【請求項３】
請求項１又は２に記載の情報収集装置において、
前記管理対象情報を受け取る手段が、少なくとも前記医療機器に関する情報を無線信号で受信し、前記医療機器に関する情報が、当該医療機器における電源コンセントの差込プラグとプラグ受けとの間に介在するコンセントモジュールから送信される無線信号である情報収集装置。
【発明の詳細な説明】
【技術分野】
【０００１】
本発明は、医療機器に関する情報等を巡回して収集する情報収集装置に関する。
【背景技術】
【０００２】
大規模な病院などは様々な種類の数多くの医療機器を所有しており、その所在、稼働状態、劣化具合、利用履歴等を管理するのに非常に多くの手間が掛かり、また、一元的に管理する場合には、大規模なシステム開発が必要となる。特に、医療機器の場合は、機器自体に改造を加えることができないため、外部から簡易的に必要な情報のみを検出する技術の開発が求められる。
【０００３】
物品管理に関する技術として、例えば特許文献１に示す技術が開示されている。特許文献１に示す技術は、書籍Ｂに対応して設けた無線タグ回路素子Ｔｏ−Ｂに保持された書籍情報を、１３．５６ＭＨｚの短波（ＨＦ）を用いて無線通信で読み取って取得するとともに、この取得結果に応じ、利用者Ｍに対応して設けた無線タグ回路素子Ｔｏ−Ｍに保持された人物情報を、２．４５ＧＨｚの極超短波（ＵＨＦ）を用いて無線通信で読み取って取得する高周波回路２０１Ｂ，２０１Ｍ、アンテナ１０Ｂ，１０Ｍ及び制御回路２０２とを備えるものである。
【先行技術文献】
【特許文献】
【０００４】
【特許文献１】特開２００７−１２２５４８号公報
【発明の概要】
【発明が解決しようとする課題】
【０００５】
特許文献１に示す技術は、異なる周波数帯の無線通信を行うことで、電波の干渉等を防止する技術であるが、機器の稼働状態を管理できる技術ではない。また、書籍に関する情報と利用者に関する情報を対応付けて貸出等の管理をすることができるものの、書籍の具体的な位置や状態を管理することができるものではない。
【０００６】
本発明は、医療機関における医療機器や備品等に関する情報を施設内を巡回することで収集する情報収集装置を提供する。
【課題を解決するための手段】
【０００７】
本発明に係る情報収集装置は、医療機器を管理する管理施設内を巡回する巡回装置に設置される情報収集装置であって、前記管理施設内において管理対象となる管理対象情報を受け取る手段と、受け取った前記管理対象情報を当該管理対象情報を管理する管理端末に送信する送信手段とを備えるものである。
【０００８】
このように、本発明に係る情報収集装置においては、巡回装置が巡回しながら効率よく情報を収集することができるという効果を奏する。
【図面の簡単な説明】
【０００９】
【図１】第１の実施形態に係る医療機器管理システムのシステム構成図である。
【図２】第１の実施形態に係る稼働状態検出装置の構成を示す機能ブロック図である。
【図３】第１の実施形態に係る稼働状態検出装置の動作を示すフローチャートである。
【図４】第２の実施形態に係る医療機器管理システムのシステム構成図である。
【図５】第２の実施形態に係る稼働状態検出装置の構成を示す機能ブロック図である。
【図６】第２の実施形態に係る稼働状態検出装置の動作を示すフローチャートである。
【図７】第３の実施形態に係る医療機器管理システムのシステム構成図である。
【図８】第３の実施形態に係る稼働状態検出装置の構成を示す機能ブロック図である。
【図９】第３の実施形態に係る稼働状態検出装置の動作を示すフローチャートである。
【図１０】その他の実施形態における管理施設のフロアの一例を示す図である。
【発明を実施するための最良の形態】
【００１０】
以下、本発明の実施の形態を説明する。また、本実施形態の全体を通して同じ要素には同じ符号を付けている。
【００１１】
（本発明の第１の実施形態）
本実施形態に係る稼働状態検出装置を用いた医療機器管理システムについて、図１ないし図３を用いて説明する。本実施形態に係る稼働状態検出装置は、医療機器の稼働状態を計測し、その使用履歴を演算して９２０ＭＨｚ帯の無線信号で無線通信を行うものである。また、本実施形態に係る医療機器管理システムは、稼働状態検出装置の通信機能を利用して、医療機器の稼働状態等を効率的に一元管理するものである。なお、本発明において管理対象となる医療機器の一例として、例えば、超音波検査器（ポータブルエコー）、ＡＥＤ、空気中に浮遊する微生物などの浮遊物をモニタリングする浮遊物モニタリング装置等が挙げられる。
【００１２】
図１は、本実施形態に係る医療機器管理システムのシステム構成図である。医療機器は安全性の観点から機器の改造等が薬事法で禁止されている。そのため、医療機器の内部に基板等を設置して稼働状態を管理したり、使用者の使い勝手が良くなるように医療機器自体に手を加えることはできない。本実施形態に係る医療機器管理システムにおいては、医療機器を改造することなく、医療機器の稼働状態を管理できるものであり、既存の医療機器に対しても後付けで適用することができるものである。
【００１３】
図１において、本実施形態に係る医療機器管理システム１は、医師等の医療従事者が患者に対して医療行為を行う際に使用する医療機器１０と、医療機器１０のコンセントと商用電源との間にコンセントモジュールとして設置される稼働状態検出装置１１と、無線通信を中継する中継機１２と、医療機器１０のデータを一元管理するための管理端末１３とを備える。
【００１４】
稼働状態検出装置１１は、医療機器１０と商用電源との間に設置されるコンセントモジュールであり、医療機器１０の使用に応じた電流変化から稼働状態を演算すると共に、稼働状態検出装置１１間で９２０ＭＨｚ帯の無線通信（例えば、Ｗｉ−ＳＵＮ規格の通信）が可能となっている。この稼働状態検出装置１１について、図２及び図３を用いて詳細に説明する。図２は、本実施形態に係る稼働状態検出装置１１の構成を示す機能ブロック図、図３は、本実施形態に係る稼働状態検出装置１１の動作を示すフローチャートである。
【００１５】
まず、稼働状態検出装置１１の構成について説明する。図２において、稼働状態検出装置１１は、当該装置全体の制御する制御ＣＰＵ２１と、制御ＣＰＵに商用電源からの電力を供給する電源部２２と、医療機器１０が稼働した際に流れる電流を検出するＣＴセンサ２３と、制御ＣＰＵ２１で演算された医療機器１０の稼働状態に関する情報を９２０ＭＨｚ帯の周波数を用いて他の稼働状態検出装置１１及び／又は中継機１２に送信する通信部２４とを備える。制御ＣＰＵ２１は、医療機器１０が起動した際に消費される多くの電力からＣＴセンサ２３による電流情報を取得することで、医療機器１０の起動日時（ＸＸ月ＸＸ日  ＸＸ時ＸＸ分）、起動場所（予め使用場所が決まっている場合）、機器ＩＤ（予め医療機器１０と稼働状態検出装置１１とが１対１で対応付けられている場合）、停止日時（ＸＸ月ＸＸ日  ＸＸ時ＸＸ分）等の稼働情報を得ることができる。通信部２４は、取得した医療機器１０の稼働情報を最寄の他の稼働状態検出装置１１にマルチホップ通信で送信する。送信された情報は、いくつかの他の稼働状態検出装置１１を経由して、又は、直接中継機１２に送信され、最終的に管理端末１３に送信される。また、通信部２４は、他の稼働状態検出装置１１から情報が送信された情報を受信した場合に、受信した情報をそのまま、又は、自身の稼働状態検出装置１１に関する情報を付与して最寄りの他の稼働状態検出装置１１に情報を送信する。
【００１６】
なお、例えば、医療機器１０がポータブルエコーのような場合は、心臓用、腹部用、その他部位用に応じて、使用するプローブやチャンネルが異なることを利用し、計測される電流値の値から使用した部位の情報を得ることも可能である。また、例えば、医療機器１０がＡＥＤのような場合は、通常人気がないような場所に設置されているＡＥＤの電池切れアラーム等の警報音をセンサで取得し、その旨の情報を得ることも可能である。さらに、医療機器１０が、空気中の浮遊物をモニタリングする浮遊物モニタリング装置のような場合は、空気の汚染状態をリアルタイムに取得して、感染防止等に利用することが可能である。
【００１７】
また、医療機器１０自体が通信機能を有する場合や、医療機器１０に通信機能を付加した場合（例えば、ＵＳＢをインターフェースとする無線アダプタ等を使用した場合）には、電流の状態以外にも医療機器１０から取得した情報から稼働状態を測定するようにしてもよい。
【００１８】
次に、稼働状態検出装置１１の動作について説明する。図３において、稼働状態検出装置１１が商用電源に接続され、制御ＣＰＵ２１は待機状態となる（Ｓ１）。この状態では、Ｗｉ−ＳＵＮ通信の中継機としての役割のみを担うことができる。制御ＣＰＵ２１は、医療機器１０が接続されて起動されたかどうかを、ＣＴセンサ２３から所定値以上の通電が計測されたかどうかで判定する（Ｓ２）。所定値以上の通電が計測された場合は、上述したような医療機器１０の稼働情報を内部メモリ又は外部メモリ等（図示しない）に記録する（Ｓ３）。通信部２４は、記録された稼働情報を最寄の他の稼働状態検出装置１１にマルチホップ通信で送信し（Ｓ４）、ステップＳ１の待機状態に戻る。
【００１９】
ステップＳ２で所定値以上の通電が計測されない場合は、通信部２４が、他の稼働情報検出装置１１からの情報を受信したかどうかを判定し（Ｓ５）、受信していない場合はステップＳ１の待機状態に戻る。受信した場合は、受信した情報をそのまま、又は、自身の稼働状態検出装置１１に関する情報を付与して最寄りの他の稼働状態検出装置１１に情報を送信し（Ｓ６）、ステップＳ１の待機状態に戻る。
【００２０】
以上のように、稼働状態検出装置１１を経由して送信された医療機器１０に関する情報は、最終的に中継機１２を介して管理端末１３に入力される。管理端末１３では、全ての医療機器１０の稼働状態を一元的に管理することで、医療機器１０の所在、稼働率、使用状態が適正かどうか等を把握することができると共に、保守・メンテナンス等の情報として利用することができる。すなわち、医療機器１０の使用履歴等を一覧で表示したり、印刷して出力することができ、それらの情報を元に電子カルテシステムへの入力作業を効率的に行うことが可能となるため、電子カルテシステム自体を大規模に改修することなく、医療機器１０の使用履歴等を少ない手間で管理することが可能となる。
【００２１】
なお、管理端末１３において、医療機器１０の使用に対応する予め決められた病名をデータベースとして記憶し、医療機器１０ごとに対応する病名の候補を使用履歴と共に出力するようにしてもよい。そうすることで、電子カルテシステムへの入力の手間を省くことができる。
【００２２】
このように、本実施形態に係る稼働状態検出装置及び医療機器管理システムにおいては、稼働状態検出装置が医療機器に装着され、当該医療機器の稼働状態を計測し、その計測結果から前記医療機器の使用履歴を演算し、演算結果を９２０ＭＨｚ帯の無線信号で出力するため、周り込みや障害物等の影響を抑えた安定した通信により、医療機器の稼働状態をリアルタイムに計測して出力することが可能になる。
【００２３】
また、稼働状態検出装置が医療機器における電源コンセントの差込プラグとプラグ受けとの間に介在するコンセントモジュールであり、医療機器に通電される交流電流を計測するため、医療機器の通電状態からその稼働状態を正確に計測することができる。
【００２４】
さらに、稼働状態検出装置が装着された複数の医療機器と、稼働状態検出装置から送信される情報を中継する中継機と、稼働状態検出装置で取得された情報を出力する管理端末とを有し、任意の地点で利用されている他の稼働状態検出装置から出力される無線信号を受信し、受信した信号をそのまま、又は、自稼働状態検出装置が装着される前記医療機器の情報と共に出力し、前記中継機が、前記稼働状態検出装置から送信された情報を中継して前記管理端末に送信するため、建物内の様々な場所で稼働している医療機器の稼働状態に関する情報を効率よく、且つ、安定して収集することができ、医療機器の管理を容易に行うことが可能になる。
【００２５】
（本発明の第２の実施形態）
本実施形態に係る医療機器管理システムについて、図４ないし図６を用いて説明する。本実施形態に係る医療機器管理システムは、前記第１の実施形態に係る医療機器管理システムの機能を拡張したものであり、前記医療機器以外の他の管理対象物を簡易的な構成で一元的に管理するものである。なお、本実施形態において前記第１の実施形態と重複する説明は省略する。
【００２６】
本実施形態においては、医療機器１０については前記第１の実施形態と同様の方法で管理するが、他の管理対象物については、近距離無線通信（例えば、ＲＦＩＤ等）により情報収集を行う。前記第１の実施形態におけるＷｉ−ＳＵＮ通信等を実現するには、稼働状態検出装置１１が高価なものとなってしまい、特に大規模な医療機関等における全ての医療機器１０に設置するのは現実的ではない。そこで、本実施形態においては、比較的数が多く、それほど稼働状態の厳密な管理が必要ではない医療機器１０（例えば、酸素濃度計、血圧計、車いす、ストレッチャー等）や備品（例えば、書籍、情報端末、共有文献等）については、ＲＦＩＤにより情報を取得し、その情報をＷｉ−ＳＵＮ通信により管理端末１３に送信する。
【００２７】
図４は、本実施形態に係る医療機器管理システムのシステム構成図である。本実施形態に係る医療機器管理システム１は、比較的数が多く、それほど稼働状態の厳密な管理が必要ではない管理対象物４０と、当該管理対象物４０に付着されるＲＦＩＤタグ４１ａと、管理対象物４０を所持する所持者が保有しているＩＤカード等に含まれるＲＦＩＤタグ４１ｂと、予め施設内に点在して設置されたＲＦＩＤリーダ４２と、Ｗｉ−ＳＵＮ中継機としての稼働状態検出装置１１と、前記第１の実施形態における医療機器管理システムと同様の中継機１２及び管理端末１３とを備える。
【００２８】
ＲＦＩＤリーダ４２は、予め施設内の所定の場所に設置されており、その設置場所をＲＦＩＤタグ４１ａ，４１ｂが通過すると、当該ＲＦＩＤタグ４１ａ，４１ｂの情報を近距離無線通信により読み取る。ＲＦＩＤリーダ４２と稼働状態検出装置１１とは予め有線又は無線で接続されており、ＲＦＩＤリーダ４２が読み取ったＲＦＩＤタグ４１ａ，４１ｂの情報は、稼働状態検出装置１１に入力される。稼働状態検出装置１１は、前記第１の実施形態の場合と同様の通信方法で、ＲＦＩＤタグ４１ａ，４１ｂの情報（例えば、タグＩＤ、場所情報、通過日時等）をＷｉ−ＳＵＮ通信を利用して管理端末１３に送信する。
【００２９】
ここで、本実施形態における稼働状態検出装置１１について、図５及び図６を用いて詳細に説明する。図５は、本実施形態に係る稼働状態検出装置１１の構成を示す機能ブロック図、図６は、本実施形態に係る稼働状態検出装置１１の動作を示すフローチャートである。
【００３０】
まず、本実施形態における稼働状態検出装置１１の構成について説明する。図５において、第１の実施形態における図２の場合と異なるのは、制御ＣＰＵ２１がＲＦＩＤリーダ４２からの情報を取得し、そのＲＦＩＤリーダ４２から取得した情報が、いくつかの他の稼働状態検出装置１１を経由して、又は、直接中継機１２に送信され、最終的に管理端末１３に送信されることである。上述したように、ＲＦＩＤリーダ４２が取得する情報は、ＲＦＩＤタグ４１ａ，４１ｂに予め登録されている情報である。すなわち、ＲＦＩＤリーダ４２が設置された場所を通過した管理対象物４０及びその保持者に関する情報を取得することができる。これらの情報から、管理対象物４０をいつ、誰が、どの辺りで所持しているかを把握して管理することができる。
【００３１】
なお、ＲＦＩＤタグ４１ａと４１ｂとの所持関係に関する関連付けについては、同時刻にＲＦＩＤタグ４１ａと４１ｂとが同一のＲＦＩＤリーダ４２で読み込まれた場合に所持関係があるものと見なしてもよいし、同時刻に複数回に亘ってＲＦＩＤタグ４１ａと４１ｂとが同一のＲＦＩＤリーダ４２で読み込まれた場合に所持関係があるものと見なすようにしてもよい。また、管理対処物４０の位置については、ＲＦＩＤタグ４１ａを読み込んだＲＦＩＤリーダ４２の時系列順によりその移動経路を割り出すことが可能であり、最終的に読み込まれたＲＦＩＤリーダ４２の位置により、管理対処物４０の所在場所をおおよそ特定する（範囲を特定する）ことが可能となる。
【００３２】
次に、本実施形態における稼働状態検出装置１１の動作について説明する。図６において、ステップＳ１〜ステップＳ６までは、前記第１の実施形態における図３の場合と同じであるため説明は省略する。図３の場合は、ステップＳ５で他の稼働状態検出装置からの情報を受信していない場合は、ステップＳ１の待機状態に戻ったが、本実施形態においては、制御ＣＰＵ２１がＲＦＩＤリーダ４２からの情報を受信したかどうかを判定する（Ｓ７）。ＲＦＩＤリーダ４２からの情報を受信していない場合は、ステップＳ１の待機状態に戻る。ＲＦＩＤリーダ４２からの情報を受信した場合は、受信した情報をそのまま、又は、自身の稼働状態検出装置１１に関する情報を付与して最寄りの他の稼働状態検出装置１１に情報を送信し（Ｓ８）、ステップＳ１の待機状態に戻る。
【００３３】
以上のように、医療機器１０の稼働状態の管理に加えて、管理対象物４０の管理を安価で簡易的な構成で行うことが可能となる。なお、上記ＲＦＩＤタグに代えてバーコードやＱＲコード（登録商標）を用いてもよく、その場合はＲＦＩＤリーダに代えてバーコードリーダやＱＲコード（登録商標）リーダを用いるようにしてもよい。
【００３４】
このように、本実施形態に係る医療機器管理システムにおいては、管理施設内にＲＦＩＤリーダが点在されており、管理対象物に貼着され、及び／又は、当該管理対象物の所持者が保持するＲＦＩＤタグを有し、ＲＦＩＤリーダが読み込んだＲＦＩＤタグの情報を稼働状態検出装置を経由して管理端末に送信するため、管理対象物の所在を施設内に点在されるＲＦＩＤリーダの位置と対応付けて容易に管理することができる。
【００３５】
（本発明の第３の実施形態）
本実施形態に係る医療機器管理システムについて、図７ないし図９を用いて説明する。本実施形態に係る医療管理システムは、前記第１の実施形態に係る医療機器管理システムの機能を拡張したものであり、医療機器の稼働状態と共に、医療機器の使用者（例えば、医師や看護師等の医療従事者であり、以下、単に医師という）、及び／又は、医療機器が使用される使用対象者（例えば、医療行為の対象となる患者であり、以下、単に患者という）に関する情報を併せて一元的に管理するものである。なお、本実施形態において前記各実施形態と重複する説明は省略する。
【００３６】
医療機器１０を医療行為に使用した際に、医療機器１０の種類によっては診療報酬点数を加算するものがある。しかしながら、特に、救急外来のように医師も患者も一刻を争う状況においては、医療機器１０を使用した医師の情報や医療機器１０を使用された患者の情報を履歴として残すのが極めて困難な現状となっている。また、これらの使用履歴を確実に残すには、電子カルテシステムと連結させるのが確実であるが、電子カルテシステムや医療機器１０を改修するには莫大な費用と手間を要してしまう。そこで、本実施形態においては、医療機器１０の稼働状態を管理すると共に、医師や看護師の情報を簡単な操作で取り込んで関連付けることで、上記のような課題を解決する。
【００３７】
図７は、本実施形態に係る医療機器管理システムのシステム構成図である。本実施形態に係る医療機器管理システム１は、医療機器１０と、医師が保有しているＩＤカード等に含まれる当該医師を特定する情報を少なくとも含むＲＦＩＤタグ７０ａと、患者に配布されるＩＤカード等に含まれる当該患者を特定する情報を少なくとも含むＲＦＩＤタグ７０ｂと、ＲＦＩＤタグ７０ａやＲＦＩＤタグ７０ｂに登録されている情報を近距離通信で読み込むＲＦＩＤリーダ７１と、ＲＦＩＤタグ７０ａやＲＦＩＤタグ７０ｂの情報及び医療機器１０の稼働状態に関する情報を取得してＷｉ−ＳＵＮ通信を行う稼働状態検出装置１１と、前記第１の実施形態における医療機器管理システムと同様の中継機１２及び管理端末１３とを備える。
【００３８】
ＲＦＩＤリーダ７１は、医療機器１０の近傍であり、医療機器１０を使用する際に容易に手が届く位置に近接配設されている。医師は自身のＩＤ情報が登録されているＩＤカードを普段から常時所持しており、そのＩＤカードには医師の個人情報等が登録されたＲＦＩＤタグ７０ａが付設されている。患者についても、当該患者のＩＤ情報が登録されているＩＤカードに、患者自身の個人情報等が登録されたＲＦＩＤタグ７０ａが付設されており、診察の際に所持している。ＲＦＩＤリーダ７１は、稼働状態検出装置１１と有線又は無線（例えば、Ｗｉ−ＦｉやＢｌｕｅｔｏｏｔｈ等）で接続されており、ＲＦＩＤリーダ７１が読み込んだＲＦＩＤタグ７０ａやＲＦＩＤタグ７０ｂの情報は、稼働状態検出装置１１に送信される。
【００３９】
なお、医師のＲＦＩＤタグ７０ａは、必ずしもＩＤカードに付設される必要はなく、医師が常に所持しており、取り出しが容易であるものであればよい。また、患者のＲＦＩＤタグ７０ｂについても、例えば、患者ごとに発行されている診察券や、診察順を管理するために院内で一時的に発行する診察カード、リストバンド、診察用紙等に付設されてもよい。また、救急の場合などは、診察券を所持していない場合も多いので、院内で仮に発行する診察カードを利用するのが好ましい。
【００４０】
医師は、患者に対して医療機器１０を用いた診療行為を行う前又は後に、自身のＲＦＩＤタグ７０ａと患者のＲＦＩＤタグ７０ｂの情報をＲＦＩＤリーダ７１に読み込ませる。稼働状態検出装置１１は、前記第１の実施形態において上述したように、医療機器１０の稼働状態を演算すると共に、医療機器１０の起動前後に取得したＲＦＩＤタグ７０ａとＲＦＩＤタグ７０ｂの情報を医療機器１０の稼働状態と関連付けて記録する。記録された情報は、中継機１２を経由して管理端末１３に送信される。管理端末１３側では、医療機器１０の稼働状態と共に、その時に医療機器１０を使用した医師と患者を特定する。
【００４１】
医療機器１０の稼働状態と共に、医療機器１０を使用した医師と患者を特定することで、医療機器１０を使用したことによる診療報酬点数を患者に加算して診療費を確実に回収することができると共に、医療機器１０の使用態様が適正ではない（例えば、使用時間が長すぎる、使用時間が短すぎる、使用頻度が多すぎる等）ような場合に、使用した医師に対して、注意勧告を行うことも可能となる。
【００４２】
なお、医療機器１０に稼働状態とＲＦＩＤタグ７０ａ、７０ｂの情報との関連付けについては、医療機器１０の起動中又は起動や停止の前後における数秒〜数分以内に取得されたＲＦＩＤタグ７０ａ、７０ｂの情報を医療機器１０の稼働状態と関連性があるものとして演算するようにしてもよい。
【００４３】
また、上記ＲＦＩＤタグに代えてバーコードやＱＲコード（登録商標）を用いてもよく、その場合はＲＦＩＤリーダに代えてバーコードリーダやＱＲコード（登録商標）リーダを用いるようにしてもよい。
【００４４】
ここで、本実施形態における稼働状態検出装置１１について、図８及び図９を用いて詳細に説明する。図８は、本実施形態に係る稼働状態検出装置１１の構成を示す機能ブロック図、図９は、本実施形態に係る稼働状態検出装置１１の動作を示すフローチャートである。
【００４５】
まず、本実施形態に係る稼働状態検出装置１１の構成について説明する。図８において、通信部２４は、ＲＦＩＤリーダ７１から送信されるＲＦＩＤタグ７０ａ、７０ｂの情報を受信すると共に受信した情報を制御ＣＰＵ２１に出力し、制御ＣＰＵ２１で演算された結果を他の稼働状態検出装置１１を経由して、又は、直接中継機１２に送信する。なお、第２の実施形態における図５の構成も、この図８の場合と同様に、通信部２４がＲＦＩＤリーダ４２からの情報をＷｉ−ＦｉやＢｌｕｅｔｏｏｔｈ（登録商標）等の無線通信で受信するようにしてもよい。
【００４６】
次に、本実施形態に係る稼働状態検出装置１１の動作について説明する。図９において、稼働状態検出装置１１が商用電源に接続され、制御ＣＰＵ２１は待機状態となる（Ｓ１）。制御ＣＰＵ２１は、医療機器１０が接続されて起動されたかどうかを、ＣＴセンサ２３から所定値以上の通電が計測されたかどうかで判定する（Ｓ２）。所定値以上の通電が計測された場合は、計測の前後における所定時間内にＲＦＩＤリーダ７１から取得したＲＦＩＤタグ７０ａ、７０ｂの情報を含む医療機器１０の使用履歴を内部メモリ又は外部メモリ等（図示しない）に記録する（Ｓ３）。通信部２４は、記録された使用履歴を最寄の他の稼働状態検出装置１１にマルチホップ通信で送信し（Ｓ４）、ステップＳ１の待機状態に戻る。ステップＳ２で所定値以上の通電が計測されない場合は、前記第１の実施形態における図３の場合と同じである。
【００４７】
なお、例えば、医療機器１０がポータブルエコーのような場合は、心臓用、腹部用、その他部位用に応じて、使用するプローブやチャンネルが異なることを利用し、計測される電流値の値から使用した部位の情報を得ることも可能である。
【００４８】
このように、医療機器の使用者、及び／又は、前記医療機器を使用される使用対象者に関する情報が医療機器の使用履歴として関連付けて管理されるため、電子カルテシステム自体を大規模に改修することなく、医療機器を誰が誰に対して使用したかを容易に管理することができると共に、診療報酬点数を確実に記録することができる。
【００４９】
（その他の実施形態）
本実施形態に係る医療機器管理システムについて、図１０を用いて説明する。本実施形態に係る医療機器管理システムは、管理施設内を巡回する巡回装置に設置されたＲＦＩＤリーダ、Ｗｉ−ＳＵＮモジュール、無線通信の受信機等を介して、管理施設内の様々な情報を収集するものである。なお、本実施形態において、前記各実施形態と重複する説明は省略する。
【００５０】
図１０は、管理施設におけるフロアの一例を示す図である。ここでは、管理施設を病院とし、菱形状の廊下に沿って入院患者用の病室やナースステーション等を有する一般的な病院フロアの一例である。このような大規模な病院においては、清掃車（掃除道具等を運ぶためのカート等）や配膳車（食事を運ぶためのカート等）が定期的にフロア内を巡回している。本実施形態においては、フロア内を定期的に巡回するこれらの巡回装置にＲＦＩＤリーダ、Ｗｉ−ＳＵＮモジュール、無線通信の受信機等を設置し、各室内で記録されている情報を読み込んで送信することで、各室内で記録されている情報を管理端末１３にて一元管理する。
【００５１】
各室内で記録されている情報としては、上記各実施形態において上述した医療機器１０や管理対象物に関する情報に加え、患者の生体情報等も含まれる。より具体的には、医療機器１０の情報は、稼働状態検出装置１１から送られる情報をＷｉ−ＳＵＮモジュールを介して管理端末１３に送信することができる。また、ＲＦＩＤタグ４１ａが付着された管理対象物は、例えば、短距離（数メートル）の読み取りが可能なＲＦＩＤリーダを用いることで、室内に存在しているＲＦＩＤタグ４１ａの情報を取得し、Ｗｉ−ＳＵＮモジュールを介して管理端末１３に送信することができる。患者の生体情報については、予め患者自身が生体情報をモニタリングする装置を身に着けており、その装置が記録した情報を巡回装置に設置された無線受信機が受信し、Ｗｉ−ＳＵＮモジュールを介して管理端末１３に送信することができる。
【００５２】
また、管理端末１３で一元管理する情報として、巡回装置自体の移動に関する情報を含んでもよい。すなわち、巡回装置の移動態様をＲＦＩＤリーダ４２からの情報や、予め巡回装置に設置されたＧＰＳ受信機の情報からＷｉ−ＳＵＮモジュールを介して取得し、移動態様が適正であるかどうかを判断することで、巡回者に何かトラブルが発生していないかを管理することができる。具体的には、巡回装置が所定時間以上移動していないような場合には、巡回者に何か重大な問題（例えば、急病で倒れた等）が発生した可能性があると判断し、管理端末１３にて警告表示を行う。また、予定している巡回経路から外れたような場合にも、巡回者に何か問題が発生したと判断し警告表示を行う。管理端末１３の管理者は、これらの警告表示に基づいて、巡回者にいち早く確認を取ることができる。
【００５３】
このように、本実施形態に係る医療機器管理システムにおいては、管理施設内を巡回装置が巡回しながら効率よく情報収集することができる。また、患者の健康状態に関する情報を通信手段により定期的に収集することができるため、一元的に効率よく管理してモニタリングすることができる。
【００５４】
以下、本発明に関する付記を示す。
【００５５】
（付記１）
稼働状態検出装置は、医療機器に装着され、当該医療機器の稼働状態を計測する動作検出手段と、前記動作検出手段の計測結果から前記医療機器の使用履歴を演算する制御ＣＰＵと、前記制御ＣＰＵの演算結果を少なくとも９２０ＭＨｚ帯の無線信号で出力可能な通信手段とを備えるものである。このように、稼働状態検出装置においては、医療機器に装着され、当該医療機器の稼働状態を計測し、その計測結果から前記医療機器の使用履歴を演算し、演算結果を９２０ＭＨｚ帯の無線信号で出力するため、周り込みや障害物等の影響を抑えた安定した通信により、医療機器の稼働状態をリアルタイムに計測して出力することが可能になるという効果を奏する。
【００５６】
（付記２）
稼働状態検出装置は、当該稼働状態検出装置が、前記医療機器における電源コンセントの差込プラグとプラグ受けとの間に介在するコンセントモジュールであり、前記動作検出手段が、前記医療機器に通電される交流電流を計測するものである。このように、稼働状態検出装置においては、医療機器における電源コンセントの差込プラグとプラグ受けとの間に介在するコンセントモジュールであり、医療機器に通電される交流電流を計測するため、医療機器の通電状態からその稼働状態を正確に計測することができるという効果を奏する。
【００５７】
（付記３）
医療機器管理システムは、前記稼働状態検出装置が装着された複数の前記医療機器と、前記稼働状態検出装置から送信される情報を中継する中継機と、前記稼働状態検出装置で取得された情報を出力する出力端末とを有する医療機器管理システムであって、前記通信手段が、任意の地点で利用されている他の稼働状態検出装置から出力される無線信号を受信し、受信した信号をそのまま、又は、自稼働状態検出装置が装着される前記医療機器の情報と共に出力し、前記中継機が、前記稼働状態検出装置から送信された情報を中継して前記出力端末に送信するものである。このように、医療機器管理システムにおいては、前記稼働状態検出装置が装着された複数の前記医療機器と、前記稼働状態検出装置から送信される情報を中継する中継機と、前記稼働状態検出装置で取得された情報を出力する出力端末とを有し、任意の地点で利用されている他の稼働状態検出装置から出力される無線信号を受信し、受信した信号をそのまま、又は、自稼働状態検出装置が装着される前記医療機器の情報と共に出力し、前記中継機が、前記稼働状態検出装置から送信された情報を中継して前記出力端末に送信するため、建物内の様々な場所で稼働している医療機器の稼働状態に関する情報を効率よく、且つ、安定して収集することができ、医療機器の管理を容易に行うことが可能になるという効果を奏する。
【００５８】
（付記４）
医療機器管理システムは、前記医療機器を管理する管理施設内に点在される管理情報読取素子と、前記稼働状態検出装置が装着される前記医療機器以外の他の医療機器を含む管理対象物に貼着され、又は、前記管理対象物の所持者に保持される管理情報格納素子とを備え、前記通信手段が、前記管理情報読取素子が読み込んだ前記管理情報格納素子の情報を送受信するものである。このように、医療機器管理システムにおいては、医療機器を管理する管理施設内に点在される管理情報読取素子と、前記稼働状態検出装置が装着される前記医療機器以外の他の医療機器を含む管理対象物に貼着され、及び／又は、前記管理対象物の所持者に保持される管理情報格納素子とを備え、前記通信手段が、前記管理情報読取素子が読み込んだ前記管理情報格納素子の情報を送受信するため、稼働状態検出装置が装着される医療機器以外の管理対象物の所在を、施設内に点在される管理情報読取素子の位置と対応付けて容易に管理することができるという効果を奏する。
【００５９】
（付記５）
医療機器管理システムは、前記管理情報読取素子が、前記管理施設内を巡回する巡回装置に設置されているものである。このように、医療機器管理システムにおいては、前記管理情報読取素子が、前記管理施設内を巡回する巡回装置に設置されているため、巡回装置が巡回しながら効率よく管理情報格納素子の情報を収集することができるという効果を奏する。
【００６０】
（付記６）
医療機器管理システムは、前記医療機器の使用者、及び／又は、前記医療機器を使用される使用対象者に関する情報が格納された使用情報格納手段と、前記稼働状態検出装置に接続され、前記使用情報格納手段に格納された情報を読み取る使用情報読取素子とを備え、前記制御ＣＰＵが、前記医療機器の使用履歴と前記使用情報読取素子が読み取った前記使用情報格納手段の情報とを関連付けて演算するものである。このように、医療機器管理システムにおいては、医療機器の使用者、及び／又は、前記医療機器を使用される使用対象者に関する情報が格納された使用情報格納手段と、稼働状態検出装置に接続され、使用情報格納手段に格納された情報を読み取る使用情報読取素子とを備え、制御ＣＰＵが、前記医療機器の使用履歴と前記使用情報読取素子が読み取った前記使用情報格納手段の情報とを関連付けて演算するため、医療機器を誰が誰に対して使用したかを容易に管理することができるという効果を奏する。
【００６１】
また、医療機器の使用履歴について、誰が誰に対して使用したかが管理されることで、診療報酬点数を確実に記録することができるという効果を奏する。
【００６２】
（付記７）
医療機器管理システムは、患者に装着され、当該患者の健康状態を測定する生体情報検出装置を備え、前記通信手段が、測定された生体情報を送受信するものである。このように、医療機器管理システムにおいては、患者に装着され、当該患者の健康状態を測定する生体情報検出装置を備え、前記通信手段が、測定された生体情報を送受信するため、患者の健康状態に関する情報を通信手段により収集して一元的に効率よく管理することができるという効果を奏する。
【符号の説明】
【００６３】
１  医療機器管理システム
１０  医療機器
１１  稼働状態検出装置
１２  中継機
１３  管理端末
２１  制御ＣＰＵ
２２  電源部
２３  ＣＴセンサ
２４  通信部
４０  管理対象物
４１ａ，４１ｂ  ＲＦＩＤタグ
４２  ＲＦＩＤリーダ
７０ａ，７０ｂ  ＲＦＩＤタグ
７１  ＲＦＩＤリーダ
【図１】
2019133722.tif 000003
【図２】
2019133722.tif 000004
【図３】
2019133722.tif 000005
【図４】
2019133722.tif 000006
【図５】
2019133722.tif 000007
【図６】
2019133722.tif 000008
【図７】
2019133722.tif 000009
【図８】
2019133722.tif 000010
【図９】
2019133722.tif 000011
【図１０】
2019133722.tif 000012